(57)【要約】      （修正有）【課題】容易に所望のアプリケーションの実行画像を探索することができる情報処理装置を提供する。【解決手段】１以上のアプリケーションの実行画像を含む第１ページの表示画像を生成し、１以上のアプリケーションの実行画像を含む第２ページの表示画像を生成する制御部１１と、制御部が生成した画像を表示する出力部１４と、を備える。第１ページの表示画像は、第１特徴を有し、第２ページの表示画像は、第１特徴とは異なる、第２特徴を有し、制御部は、第１ページの表示画像または第２ページの表示画像を出力部に表示させる。【選択図】図２
2017102821.tif 000002
【特許請求の範囲】
【請求項１】
１以上のアプリケーションの実行画像を含む第１ページの表示画像を生成し、１以上のアプリケーションの実行画像を含む第２ページの表示画像を生成する制御部と、
前記制御部が生成した画像を表示する出力部と、を備え、
前記第１ページの表示画像は、第１特徴を有し、前記第２ページの表示画像は、前記第１特徴とは異なる、第２特徴を有し、
前記制御部は、前記第１ページの表示画像または前記第２ページの表示画像を前記出力部に表示させる、
情報処理装置。
【請求項２】
利用者による所定の操作を受け付ける入力部を備え、
前記制御部は、前記出力部に前記第１ページの表示画像が表示され、前記入力部が前記利用者による前記所定の操作を受け付けた場合、前記第２ページの表示画像を前記出力部に表示させる
請求項１に記載の情報処理装置。
【請求項３】
前記制御部は、前記出力部に前記第１ページの表示画像が表示され、前記入力部が前記利用者による前記所定の操作を受け付けた場合、前記第２ページの表示画像を前記出力部に表示させる前に、前記第１ページの一部と、前記第２ページの一部とを含む画像を生成し、当該生成された画像を前記出力部に表示させる
請求項２に記載の情報処理装置。
【請求項４】
アプリケーションの実行画像は、アプリケーションで生成される情報を表示する出力画像、アプリケーションに対して情報を入力する入力画像のうち少なくとも１つを含む画像である請求項１から３のいずれか１項に記載の情報処理装置。
【請求項５】
前記第１特徴は、前記第１ページに含まれるアプリケーションの実行画像の背後に描画される背景画像が第１画像であることを含み、前記第２特徴は、前記第２ページに含まれるアプリケーションの実行画像の背後に描画される背景画像が前記第１画像と異なる第２画像であることを含む、
請求項１から４のいずれか１項に記載の情報処理装置。
【請求項６】
前記第１特徴は、前記第１ページに含まれるアプリケーションの実行画像に含まれる文字のフォントが第１フォントであることを含み、前記第２特徴は、前記第２ページに含まれるアプリケーションの実行画像に含まれる文字のフォントが前記第１フォントと異なる第２フォントであることを含む、
請求項１から５のいずれか１項に記載の情報処理装置。
【請求項７】
前記第１特徴は、前記第１ページに含まれるアプリケーションの実行画像の外形形状が第１形状であることを含み、前記第２特徴は、前記第２ページに含まれるアプリケーションの実行画像の外形形状が前記第１形状と異なる第２形状であることを含む、
請求項１から６のいずれか１項に記載の情報処理装置。
【請求項８】
車両に搭載される、請求項１から７のいずれか１項に記載された情報処理装置を含む、車載装置。
【請求項９】
コンピュータが、
１以上のアプリケーションの実行画像を含む第１ページの表示画像を生成し、１以上のアプリケーションの実行画像を含む第２ページの表示画像を生成し、
前記第１ページの表示画像または前記第２ページの表示画像を出力手段に表示させることを実行し、
前記第１ページの表示画像は、第１特徴を有し、前記第２ページの表示画像は、前記第１特徴とは異なる第２特徴を有する、
情報処理方法。
【請求項１０】
コンピュータが、
１以上のアプリケーションの実行画像を含む第１ページの表示画像を生成し、１以上のアプリケーションの実行画像を含む第２ページの表示画像を生成し、
前記第１ページの表示画像または前記第２ページの表示画像を出力手段に表示させることを実行するためのプログラムであって、
前記第１ページの表示画像は、第１特徴を有し、前記第２ページの表示画像は、前記第１特徴とは異なる第２特徴を有する、
情報処理プログラム。
【発明の詳細な説明】
【技術分野】
【０００１】
本発明は、情報処理装置、車載装置、情報処理方法、情報処理プログラムに関する。
【背景技術】
【０００２】
従来より、オーディオ装置の操作画面、空調装置の操作画面、ナビゲーション装置の地図画像等を表示するために、タッチパネル等を備えたディスプレイを内蔵する情報処理装置を車両内に設置することがある。このような情報処理装置の利用者となる車両の運転者は、ディスプレイ（車載ディスプレイ）に表示された画像を参照して、車内の装置の操作をしたり、現在位置を把握したりする。一般に、情報処理装置では、携帯端末やタブレット端末等で汎用されるＯＳ（Operating System）が搭載され、オーディオ装置の操作画面等以外にも、他の様々なアプリケーションが実行され得る。
【先行技術文献】
【特許文献】
【０００３】
【特許文献１】特開２００１−０３４３８３号公報
【特許文献２】特開２０１４−０４９０６１号公報
【特許文献３】特表２０１４−５１１５２４号公報
【発明の概要】
【発明が解決しようとする課題】
【０００４】
汎用のＯＳの１つであるアンドロイドＯＳのＷｉｄｇｅｔ特性を活用したディスプレイのＨＭＩ（Human Machine Interface）仕様では、１つのページの背景画像（プレーン背
景）の上にＷｉｄｇｅｔアプリケーションの実行画像を表示させることが主である。表示されるＷｉｄｇｅｔアプリケーションの実行画像は、アプリケーションで生成される情報を表示する出力画像、アプリケーションに対して情報を入力する仮想ボタンなどの入力画像のうち少なくとも１つを含む画像である。オーディオ装置の操作画面、空調装置の操作画面、ナビゲーション装置の地図画像等は、それぞれ、アプリケーションの実行画像の例である。１つのプレーン（１つのページ）上に表示できるアプリケーションの実行画像の数には上限があるため、多くのアプリケーションの実行画像を表示するには、複数のページが必要になる。
【０００５】
複数のページにわたって多くのアプリケーションの実行画像が存在する場合、目的のアプリケーションの実行画像をディスプレイに表示させるために、ページの切り替えを行うことがある。ページの切り替えは、例えば、タッチパネルに対する横方向へのフリック操作などの利用者による所定の操作によって行われる。一般に、切り替え対象となる複数のページは、背景画像が共通するなど、同様の態様で表示される。このため、利用者は、現在表示されているページがどのページであるかを直感的に把握することが難しく、目的のアプリケーションの実行画像を探すために、多数の操作を行うことがある。
情報処理装置が車両に搭載される車載装置の場合は、利用者は車両の運転者となる。車両の運転者が車載装置に対して多くの操作を行うと、運転に関する注意力が低下する可能性がある。
【０００６】
本発明は、利用者が容易に所望のアプリケーションの実行画像を探索することができる技術を提供することを目的とする。
【課題を解決するための手段】
【０００７】
上記課題を解決するために、以下の手段を採用する。
即ち、第１の態様は、
１以上のアプリケーションの実行画像を含む第１ページの表示画像を生成し、１以上のアプリケーションの実行画像を含む第２ページの表示画像を生成する制御部と、
前記制御部が生成した画像を表示する出力部と、を備え、
前記第１ページの表示画像は、第１特徴を有し、前記第２ページの表示画像は、前記第１特徴とは異なる、第２特徴を有し、
前記制御部は、前記第１ページの表示画像または前記第２ページの表示画像を前記出力部に表示させる、
情報処理装置とする。
【０００８】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【発明の効果】
【０００９】
本発明によれば、利用者が容易に所望のアプリケーションの実行画像を探索することができる。
【図面の簡単な説明】
【００１０】
【図１】図１は、実施形態に係るシステム構成の例を示す図である。
【図２】図２は、車両に搭載される情報処理装置の構成例を示す図である。
【図３】図３は、車両に搭載される装置の構成例を示す図である。
【図４】図４は、コンピュータのハードウェア構成例を示す図である。
【図５】図５は、情報処理装置の出力部のディスプレイに表示されるアプリケーションの実行画像を含む画像の例１を示す図である。
【図６】図６は、情報処理装置の出力部のディスプレイに表示されるアプリケーションの実行画像を含む画像の例２を示す図である。
【図７】図７は、情報処理装置におけるページ切替の動作フローの例を示す図である。
【図８】図８は、切り替え途中の画像の例を示す図である。
【図９】図９は、アプリケーションの実行画像の外形の形状をページごとに変更した例を示す図である。
【図１０】図１０は、アプリケーションの実行画像に含まれる文字のフォントをページごとに変更した例を示す図である。
【発明を実施するための形態】
【００１１】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１２】
〔実施形態〕
本実施形態の車両に搭載される情報処理装置では、複数のアプリケーションが実行される。情報処理装置のディスプレイには、実行される複数のアプリケーションの実行画像のうちの一部の実行画像が表示される。実行されるアプリケーションの数がディスプレイに同時に表示できる実行画像の数の最大数よりも少ない場合には、すべての実行されるアプリケーションの実行画像がディスプレイに同時に表示されてもよい。ディスプレイに表示
されるアプリケーションの実行画像は、所定の背景画像の上に重ねられて表示される。情報処理装置の利用者は、所定の操作により、ディスプレイに表示されるアプリケーションの実行画像を切り替えることができる。情報処理装置の利用者は、例えば、当該情報処理装置が搭載される車両の運転者である。
【００１３】
（構成例）
〈システム構成〉
図１は、本実施形態に係るシステム構成の例を示す図である。図１のシステムは、情報処理装置を搭載した車両１と、ネットワーク２を含む。車両１に搭載される情報処理装置は、ネットワーク２を介して、ネットワーク２に接続される他の情報処理装置（不図示）等に接続される。
【００１４】
ネットワーク２として、例えば、携帯電話回線網を利用したインターネット回線が挙げられる。車両１に搭載される情報処理装置は、例えば、車両１の運転者によって操作される。ネットワーク２は、インターネット接続業者の通信装置へのアクセス網とインターネットを含むネットワークであってもよい。インターネット接続業者の通信装置へのアクセス網は、例えば、通信事業者が提供する光ネットワーク、ＡＤＳＬ（Asymmetric Digital
Subscriber Line）等である。ネットワーク２は、公衆無線ネットワークの一例である。
【００１５】
図２は、車両に搭載される情報処理装置の構成例を示す図である。図２の情報処理装置１０は、制御部１１、記憶部１２、入力部１３、出力部１４、通信部１５を含む。情報処理装置１０は、車両１を運転する運転者等によって操作される。
【００１６】
制御部１１は、記憶部１２等に実行可能に展開されたコンピュータプログラムにより、情報処理装置１０としての処理を実行する。情報処理装置１０としての処理とは、例えば、車両１における様々な情報処理を含む。制御部１１は、利用者の指示等に基づいて、情報処理装置１０に接続されるオーディオ装置等の制御を行う。制御部１１は、出力部１３のディスプレイに所定の画像を表示させる。
【００１７】
記憶部１２は、制御部１１で実行されるコンピュータプログラム、あるいは、制御部１１が使用するデータ、テーブル等を格納する。データには、ディスプレイに表示される背景画像等が含まれる。
【００１８】
入力部１３は、例えば、タッチパネル、押しボタン、キーボード、ポインティングデバイス、マイク、カメラ等であり、利用者による操作を受け付ける。
【００１９】
出力部１４は、例えば、画像や文字情報を出力するディスプレイ等である。ディスプレイは、入力部１３のタッチパネルと一体化している。
【００２０】
通信部１５は、ネットワーク２を介して、ネットワーク２上の他の装置と通信する。ネットワーク２が携帯電話回線網の場合には、通信部１５は、携帯電話回線網の基地局を介してネットワーク２に接続する。また、通信部１５は、車両１内のオーディオ装置、空調装置、ナビゲーション装置等と接続する。
【００２１】
図３は、車両に搭載される装置の構成例を示す図である。図３の車両１には、情報処理装置１０、オーディオ装置２０、空調装置３０、ナビゲーション装置４０が搭載される。情報処理装置１０には、オーディオ装置２０、空調装置３０、ナビゲーション装置４０が接続される。車両１には、他の装置が搭載されてもよい。オーディオ装置２０、空調装置３０、ナビゲーション装置４０は、情報処理装置１０によって制御され得る。情報処理装置１０、オーディオ装置２０、空調装置３０、ナビゲーション装置４０は、一体化して、
１つの車載装置として、構成されてもよい。
【００２２】
オーディオ装置２０は、スピーカ等の出力手段を含み、各種記憶媒体に記憶される音響、音声を再生し、出力手段に出力する。オーディオ装置２０には、放送受信手段、ディスク再生手段等が含まれてもよい。放送受信手段は、アンテナにより受信された放送波から、特定の周波数の放送波を選択受信し、復調して当該放送の音声信号等を出力する。記録媒体再生手段は、記録媒体に記憶されているデータをピックアップして読込み、読込んだデータに基づく音声信号の出力を行う。記録媒体には、例えば、ＣＤ、ＤＶＤ、ＳＤカード等が含まれる。
【００２３】
空調装置３０は、空調機器、温度測定手段等を含み、車両１内外の気温等に基づいて、車両１内の気温や湿度を調整する。
【００２４】
ナビゲーション装置４０は、ＧＰＳ（Global Positioning System）受信機を含み、Ｇ
ＰＳ衛星からの電波を受信し、現在位置（緯度、経度等）、時刻等を算出する。ただし、ナビゲーション装置としては、ＧＰＳ受信機を含むものに限定される訳ではない。ナビゲーション装置４０は、地図情報を記憶する。
【００２５】
情報処理装置１０、ナビゲーション装置４０は、ＰＣ（Personal Computer）、スマー
トフォン、携帯電話、タブレット型端末、車載装置、ＰＤＡ（Personal Digital Assistant）のような専用または汎用のコンピュータ、あるいは、コンピュータを搭載した電子機器を使用して実現可能である。
【００２６】
図４は、コンピュータのハードウェア構成例を示す図である。図４に示すコンピュータ９０は、一般的なコンピュータの構成を有している。図４のコンピュータ９０は、プロセッサ９１、メモリ９２、記憶部９３、入力部９４、出力部９５、通信制御部９６を有する。これらは、互いにバスによって接続される。メモリ９２及び記憶部９３は、コンピュータ読み取り可能な記録媒体である。コンピュータのハードウェア構成は、図４に示される例に限らず、適宜構成要素の省略、置換、追加が行われてもよい。
【００２７】
コンピュータ９０は、プロセッサ９１が記録媒体に記憶されたプログラムをメモリ９２の作業領域にロードして実行し、プログラムの実行を通じて各構成部等が制御されることによって、所定の目的に合致した機能を実現することができる。
【００２８】
プロセッサ９１は、例えば、ＣＰＵ（Central Processing Unit）やＤＳＰ（Digital Signal Processor）である。プロセッサ９１は、コンピュータ９０を制御し、様々な情報
処理の演算を行う。
【００２９】
メモリ９２は、例えば、ＲＡＭ（Random Access Memory）やＲＯＭ（Read Only Memory）を含む。メモリ９２は、主記憶装置とも呼ばれる。
【００３０】
記憶部９３は、例えば、ＥＰＲＯＭ（Erasable Programmable ROM）、ハードディスク
ドライブ（ＨＤＤ、Hard Disk Drive）である。また、記憶部９３は、リムーバブルメデ
ィア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部９３は、二次記憶装置とも呼ばれる。
【００３１】
記憶部９３は、各種のプログラム、各種のデータ及び各種のテーブルを読み書き自在に記録媒体に格納する。記憶部９３には、オペレーティングシステム（Operating System :
ＯＳ）、各種プログラム、各種テーブル等が格納される。記憶部９３に格納される情報は、メモリ９２に格納されてもよい。また、メモリ９２に格納される情報は、記憶部９３に格納されてもよい。
【００３２】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部１０１２を介して接続される他の外部装置等とデータのやり取りを行うプログラムである。外部装置等には、例えば、他の情報処理装置、外部記憶装置等が含まれる。
【００３３】
入力部９４は、キーボード、ポインティングデバイス、ワイヤレスリモコン、タッチパネル、押しボタン等を含む。また、入力部９４は、カメラのような映像や画像の入力装置や、マイクロフォンのような音声の入力装置を含むことができる。
【００３４】
出力部９５は、ＬＣＤ（Liquid Crystal Display）、ＥＬ（Electroluminescence）パ
ネル、ＣＲＴ（Cathode Ray Tube）ディスプレイ、ＰＤＰ（Plasma Display Panel）等の表示装置、プリンタ等の出力装置を含む。また、出力部９５は、スピーカのような音声の出力装置を含むことができる。
【００３５】
通信制御部９６は、他の装置と接続し、コンピュータ９０と他の装置との間の通信を制御する。通信制御部９６は、例えば、ＬＡＮ（Local Area Network）インタフェースボード、無線通信のための無線通信回路、電話通信のための通信回路である。ＬＡＮインタフェースボードや無線通信回路は、インターネット等のネットワークに接続される。
【００３６】
コンピュータ９０で実行される一連の処理は、ハードウェアにより実行させることもできるが、ソフトウェアにより実行させることもできる。
【００３７】
プログラムを記述するステップは、記載された順序に沿って時系列的に行われる処理はもちろん、必ずしも時系列的に処理されなくても、並列的または個別に実行される処理を含む。プログラムを記述するステップの一部が省略されてもよい。
【００３８】
（動作例）
本実施形態の情報処理装置１０の動作例について、説明する。情報処理装置１０は、車両１に設置され、車両１のオーディオ装置２０、空調装置３０、ナビゲーション装置４０等と接続される。情報処理装置１０は、ネットワーク２上の他の情報処理装置等とも接続され得る。情報処理装置１０では、複数のアプリケーションが実行され、情報処理装置１０の出力部１４のディスプレイには、アプリケーションの実行画像を含む画像が表示されている。アプリケーションの実行画像は、アプリケーションで生成される情報を表示する出力画像、アプリケーションに対して情報を入力する仮想ボタンなどの入力画像の少なくとも１つを含む画像である。情報処理装置１０において、汎用のＯＳが実行され、当該ＯＳ上で、複数のアプリケーションが実行されていてもよい。情報処理装置１０で実行されるアプリケーションは、アンドロイドＯＳのＷｉｄｇｅｔアプリケーションであってもよい。
【００３９】
図５は、情報処理装置の出力部のディスプレイに表示されるアプリケーションの実行画像を含む画像の例１を示す図である。図５の例では、情報処理装置１０の出力部１４のディスプレイに表示される画像１０１は、背景画像１１１、４個のアプリケーションの実行画像１２１−１〜４を含む。背景画像１１１は、図形や記号などを含む非階調画像や写真等の階調画像であってもよい。また、非階調画像は、ベタ塗りの一色のみで表される画像であってもよい。４個のアプリケーションの実行画像１２１−１〜４は、背景画像１１１
の上に、重ねられて描画されている。情報処理装置１０の制御部１１は、情報処理装置１０で実行されているアプリケーションについての実行画像を生成し、出力部１４のディスプレイに表示させる。この説明では、情報処理装置１０の出力部１４のディスプレイに表示される画像１０１は、例えば、４個までのアプリケーションの実行画像を含むことができる。画像１０１において、アプリケーションの実行画像が表示される位置は、情報処理装置１０の利用者によって、自由に変更される。
【００４０】
図６は、情報処理装置の出力部のディスプレイに表示されるアプリケーションの実行画像を含む画像の例２を示す図である。ここでは、情報処理装置１０において、１２個のアプリケーションが実行されているとする。このとき、情報処理装置１０の制御部１１は、情報処理装置１０で実行されているアプリケーションについての実行画像を生成する。図６の例では、情報処理装置１０の出力部１４のディスプレイに表示される３つの画像１０１−１０３が示されている。情報処理装置１０の制御部１１は、ディスプレイに表示される３つの画像１０１−１０３を生成する。
【００４１】
図６の３つの画像１０１−１０３のうち、画像１０１は、図５で示した画像１０１と同様である。また、画像１０２は、背景画像１１２、及び、４個のアプリケーションの実行画像１２２−１〜４を含む。画像１０３は、背景画像１１３、及び、４個のアプリケーションの実行画像１２３−１〜４を含む。情報処理装置１０の制御部１１は、出力部１４のディスプレイに、通常、画像１０１−１０３のうち１つの画像を表示させる。出力部１４のディスプレイに表示される画像は、例えば、情報処理装置１０の利用者によって、入力部１３により選択される。以下、画像１０１を第１ページの画像、画像１０２を第２ページの画像、画像１０３を第３ページの画像ともいう。背景画像１１１、１１２、１１３は、互いに、異なっている。ここで、互いに異なる背景画像は、利用者がページの差異を視認できる特徴の例である。生成された画像は、記憶部１２に格納される。情報処理装置１０の制御部１１は、各アプリケーションの動作にともなって、アプリケーションの実行画像を随時更新する。画像１０１−１０３において、アプリケーションの実行画像が表示される位置は、情報処理装置１０の利用者によって、自由に変更される。
【００４２】
情報処理装置１０の起動時には、前回の終了時に実行されていたアプリケーションの動作状態が維持されるとする。即ち、１つのアプリケーションの実行画像の配置される位置は、利用者が変更しない限り、常に、同一ページの同一位置に配置される。
【００４３】
図７は、情報処理装置におけるページ切替の動作フローの例を示す図である。ここでは、情報処理装置１０において、１２個のアプリケーションが実行され、図６のように、画像１０１−１０３が生成されているとする。また、情報処理装置１０の出力部１４のディスプレイには、第１ページの画像１０１から第３ページの画像１０３までのうちのいずれか１つのページの画像が表示されているとする。情報処理装置１０の利用者は、所望のアプリケーションの実行画像を表示させるために、ページの切り替えを行う。
【００４４】
Ｓ１０１では、情報処理装置１０の制御部１１は、入力部１３により、ページを切り替えるための所定の入力操作を検出したか否かを判定する。ページを切り替えるための所定の入力操作は、例えば、入力部１３のタッチパネルに対する横方向へのフリック操作である。フリック操作は、タッチパネル上で、指等を右から左、若しくは、左から右に動かす操作である。所定の入力操作を検出した場合（Ｓ１０１；ＹＥＳ）、処理がＳ１０２に進む。所定の入力操作を検出していない場合、Ｓ１０１の処理が繰り返される。
【００４５】
ページを切り替えるための所定の入力操作には、入力部１３のマイクに対する所定の音声の入力、入力部１３のカメラに対する所定のジェスチャーの入力、入力部１３の所定の押しボタンに対する押し下げ等が含まれる。
【００４６】
Ｓ１０２では、情報処理装置１０の制御部１１は、切り替え先のページの画像のデータを、記憶部１２から抽出する。例えば、情報処理装置１０の出力部１４のディスプレイに表示される画像が第２ページの画像１０２であって、Ｓ１０１で検出した入力操作が左から右へのフリック操作である場合、切り替え先のページの画像は第１ページの画像１０１となる。また、情報処理装置１０の出力部１４のディスプレイに表示される画像が第２ページの画像１０２であって、Ｓ１０１で検出した入力操作が左から右へのフリック操作である場合、切り替え先のページの画像は第３ページの画像１０３となる。即ち、第ｎページの画像が表示されているとき、Ｓ１０１で検出した入力操作が左から右へのフリック操作である場合、切り替え先のページの画像は第ｎ−１ページの画像となる。ｎ−１が０となる場合には、切り替え先のページの画像は最も値の大きいページ（ここでは第３ページ）の画像とする。第ｎページの画像が表示されているとき、Ｓ１０１で検出した入力操作が右から左へのフリック操作である場合、切り替え先のページの画像は第ｎ＋１ページの画像となる。ｎ＋１が最も値の大きいページの値を超える場合には、切り替え先のページの画像は第１ページの画像とする。ページを切り替えるための所定の入力操作と、切り替え前のページ、切り替え先のページとの対応関係は、あらかじめ、決定しておく。
【００４７】
Ｓ１０３では、情報処理装置１０の制御部１１は、Ｓ１０２で抽出した切り替え先のページの画像を、出力部１４のディスプレイに表示させる。Ｓ１０２で第１ページの画像１０１が抽出された場合には、情報処理装置１０の制御部１１は、出力部１４のディスプレイに、画像１０１を表示させる。また、情報処理装置１０の制御部１１は、画像１０１を表示させる前に、切り替え前の画像１０２から切り替え後の画像１０１への切り替え途中を示す画像（遷移画像）を生成して、ディスプレイに表示してもよい。切り替え途中を示す画像は、例えば、画像１０２の一部と、画像１０１の一部を含む画像である。このとき、情報処理装置１０の利用者は、ディスプレイに表示される切り替え途中の画像を閲覧して、第２ページから第１ページヘ切り替えられていることを容易に認識することができる。これによって、図７のページ切替の動作フローは終了するが、動作フローの終了後は、再び、当該動作フローが開始される。
【００４８】
図８は、切り替え途中の画像の例を示す図である。図８の切り替え途中の画像は、画像１０１から画像１０２への切り替え途中を示す画像である。図８の画像は、切り替え前の画像１０１の右側の一部と、切り替え後の画像１０２の左側の一部とを含む。このような画像が、切り替えの際に表示されることで、利用者は、切り替えられていることを容易に認識することができる。
【００４９】
また、画像１０１の背景画像１１１と、画像１０２の背景画像１１２とではその内容が異なっている。例えば、背景画像が一色のみで表される非階調画像の場合は、背景画像１１１が赤であり背景画像１１２が緑であるなど、背景画像１１１と背景画像１１２とで色が異なっている。また、背景画像が図形を含む非階調画像の場合は、背景画像１１１と背景画像１１２とで含まれる図形の形状が異なっている。また、背景画像が写真などの階調画像の場合は、含まれる被写体の像が異なっている。いずれの場合も、背景画像１１１と背景画像１１２とで、視覚上の印象が大きく異なることが望ましい。
【００５０】
このように、画像１０１の背景画像１１１と画像１０２の背景画像１１２とが異なることで、切り替えた後のページが第２ページであることが明確になる。即ち、複数のページがそれぞれ異なる背景画像を有することで、複数のページがそれぞれ固有の視覚上の特徴を有することになる。このため、ページを切り替えた時に視覚上の印象が変わることから、切り替え後のページがいずれのページであるかが明確になる。また、利用者が、あるアプリケーションの実行画像を配置したページと、当該ページに固有の視覚上の特徴とを対応付けて記憶することで、所望のアプリケーションの実行画像を含むページにたどり着き
やすくなる。その結果、利用者は、容易に所望のアプリケーションの実行画像を探索できる。
【００５１】
情報処理装置１０で実行されるアプリケーションとして、例えば、現在位置周辺等の地図の表示や目的地までの道案内をするナビゲーションアプリ、指定された動画を再生する動画再生アプリ、現在位置や所定の地域等の天気予報を表示する天気予報アプリ、車両１の燃費表示する燃費表示アプリ、カレンダーや予定を表示するカレンダーアプリ、現在日時を表示する時計アプリ、ラジオ放送を出力するラジオアプリ、空調装置３０によって車内１の空調を調節する空調アプリ、ＳＮＳの投稿内容を表示するＳＮＳアプリ、ミニブログの投稿内容を表示するミニブログアプリ、電子メールを表示する電子メールアプリ等が挙げられる。情報処理装置１０は、各アプリで必要とされるデータ等を、例えば、ネットワーク２上の他の情報処理装置等から取得する。利用者は、アプリケーションの実行画像により、例えば、天気予報を把握したり、車内１の空調の調節をしたり、車内１のオーディオ機器の音量を調節したりすることができる。
【００５２】
（変形例１）
上記では、情報処理装置１０は、車両に搭載される装置であるとしたが、情報処理装置１０は、車両１に搭載されない装置（例えば、スマートフォン、タブレット端末など）であってもよい。このとき、情報処理装置１０は、車両１のオーディオ装置２０、空調装置３０、ナビゲーション装置４０等に接続されなくてもよい。
【００５３】
（変形例２）
上記では、利用者がページの差異を視認できる特徴を、各ページの互いに異なる背景画像としたが、アプリケーションの実行画像の外形の形状を、利用者がページの差異を視認できる特徴としてもよい。即ち、アプリケーションの実行画像の外形の形状を、ページごとに変更してもよい。この場合においても、複数のページがそれぞれ固有の視覚上の特徴を有することになる。
【００５４】
図９は、アプリケーションの実行画像の外形の形状をページごとに変更した例を示す図である。図９の例では、第１ページの画像１０１に含まれるアプリケーションの実行画像１２１−１〜４では、アプリケーションの実行画像の外形の形状が角を丸くした長方形になっている。一方、第２ページの画像１０２に含まれるアプリケーションの実行画像１２２−１〜４では、アプリケーションの実行画像の外形の形状が通常の長方形（角が９０度）になっている。アプリケーションの実行画像の外形の形状をページごとに変更することで、利用者が、出力部１４のディスプレイに現在どのページが表示されているかを容易に認識できるようになる。さらに、利用者が各ページの特徴を把握することで、所望のアプリケーションの実行画像を見つけやすくなる。
【００５５】
また、アプリケーションの実行画像に含まれる文字のフォントを、利用者がページの差異を視認できる特徴としてもよい。即ち、アプリケーションの実行画像に含まれる文字のフォントを、ページごとに変更してもよい。この場合においても、複数のページがそれぞれ固有の視覚上の特徴を有することになる。
【００５６】
図１０は、アプリケーションの実行画像に含まれる文字のフォントをページごとに変更した例を示す図である。図１０の例では、第１ページの画像１０１に含まれるアプリケーションの実行画像１２１−１〜４では、アプリケーションの実行画像に含まれる文字のフォントがゴシック体になっている。一方、第２ページの画像１０２に含まれるアプリケーションの実行画像１２２−１〜４では、アプリケーションの実行画像に含まれる文字のフォントが明朝体になっている。アプリケーションの実行画像に含まれる文字のフォントをページごとに変更することで、利用者が、出力部１４のディスプレイに現在どのページが
表示されているかを容易に認識できるようになる。
【００５７】
また、アプリケーションの実行画像の外枠の色を、利用者がページの差異を視認できる特徴としてもよい。即ち、アプリケーションの実行画像の外枠の色を、ページごとに変更してもよい。さらに他の構成を、利用者がページの差異を視認できる特徴としてもよい。
【００５８】
上記の構成例は、本発明の趣旨を逸脱しない範囲内において、変更したり組み合わせたりすることができる。
【００５９】
（実施形態の作用、効果）
情報処理装置１０において、複数のアプリケーションが実行されているとき、情報処理装置１０の制御部１１は、情報処理装置１０で実行されているアプリケーションについての実行画像を生成する。また、情報処理装置１０の制御部１１は、ディスプレイに表示される複数のページの画像を生成する。各ページの画像には、アプリケーションの実行画像が含まれる。また、各ページには、利用者が視認できる異なる特徴が含まれる。
利用者がページに固有の態様（視覚上の特徴）を把握することで、所望のアプリケーションの実行画像が含まれるページを容易に探すことができる。利用者が所望のアプリケーションを容易に探すことができることで、車両１に搭載される情報処理装置１０を操作する時間が短縮される。これにより、利用者が車両１の運転中に情報処理装置１０の操作を行うことにより運転に関する注意力が低下することを防止できる。
【００６０】
本発明は、上述した実施の形態に限定されるものではなく、本発明の趣旨を逸脱しない範囲内において変更したり組み合わせたりすることができる。
【００６１】
〈コンピュータ読み取り可能な記録媒体〉
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００６２】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体内には、ＣＰＵ、メモリ等のコンピュータを構成する要素を設け、そのＣＰＵにプログラムを実行させてもよい。
【００６３】
また、このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８mmテープ、メモリカード等がある。
【００６４】
また、コンピュータ等に固定された記録媒体としてハードディスクやＲＯＭ（Read Only memory）等がある。
【符号の説明】
【００６５】
１          車両
２          ネットワーク
１０          情報処理装置
１１            制御部
１２            記憶部
１３            入力部
１４            出力部
１５            通信部
２０          オーディオ装置
３０          空調装置
４０          ナビゲーション装置
【図１】
2017102821.tif 000003
【図２】
2017102821.tif 000004
【図３】
2017102821.tif 000005
【図４】
2017102821.tif 000006
【図５】
2017102821.tif 000007
【図６】
2017102821.tif 000008
【図７】
2017102821.tif 000009
【図８】
2017102821.tif 000010
【図９】
2017102821.tif 000011
【図１０】
2017102821.tif 000012